(57)【特許請求の範囲】
【請求項１】
本体部と該本体部に対して開閉可能なカバー部とで構成され、制御手段の制御により無線回線を介した通信を行なう折り畳み式携帯電話であって、
前記本体部の基準方向からの傾きを検出する第１の傾き検出手段と、
前記カバー部の前記基準方向からの傾きを検出する第２の傾き検出手段と、を有し、
前記制御手段は、前記第１及び第２の傾き検出手段によって検出された傾き値を比較して、折り畳み式携帯電話の開閉を判定することを特徴とする折り畳み式携帯電話。
【請求項２】
本体部と該本体部に対して開閉可能なカバー部とで構成される折り畳み式携帯電話であって、
前記本体部の基準方向からの傾きを検出する第１の傾き検出手段と、
前記カバー部の前記基準方向からの傾きを検出する第２の傾き検出手段と、
前記第１及び第２の傾き検出手段によって検出された傾き値を比較し、折り畳み式携帯電話の開閉を判定する判定手段と、
を有することを特徴とする折り畳み式携帯電話。
【請求項３】
前記第１の傾き検出手段は、
前記本体部を構成する筐体の法線方向から重力の働く方向への傾き値を検出する手段であり、
前記第２の傾き検出手段は、
前記カバー部を構成する筐体の法線方向から重力の働く方向への傾き値を検出する手段であることを特徴とする請求項１または２記載の折り畳み式携帯電話。
【請求項４】
本体部と該本体部に対して開閉可能なカバー部とで構成され、制御手段の制御により無線回線を介した通信を行なう折り畳み式携帯電話の開閉検出方法であって、
第１の傾き検出手段が、前記本体部の基準方向からの傾きを検出する第１の傾き検出工程と、
第２の傾き検出手段が、前記カバー部の前記基準方向からの傾きを検出する第２の傾き検出工程と、
前記制御手段により、前記第１及び第２の傾き検出工程によって検出された傾き値を比較して、折り畳み式携帯電話の開閉を判定する判定工程と、を有することを特徴とする折り畳み式携帯電話の開閉検出方法。
【請求項５】
本体部と該本体部に対して開閉可能なカバー部とで構成される折り畳み式携帯電話の開閉検出方法であって、
第１の傾き検出手段が、前記本体部の基準方向からの傾きを検出する第１の傾き検出工程と、
第２の傾き検出手段が、前記カバー部の前記基準方向からの傾きを検出する第２の傾き検出工程と、
前記第１及び第２の傾き検出工程によって検出された傾き値を比較し、折り畳み式携帯電話の開閉を判定する判定工程と、
前記判定工程による判定結果を割り込み信号として制御手段に通知する通知工程と、
を有することを特徴とする折り畳み式携帯電話の開閉検出方法。
【請求項６】
前記第１の傾き検出工程は、
前記第１の傾き検出手段が、前記本体部を構成する筐体の法線方向から重力の働く方向への傾き値を検出する工程であり、
前記第２の傾き検出工程は、
前記第２の傾き検出手段が、前記カバー部を構成する筐体の法線方向から重力の働く方向への傾き値を検出する工程であることを特徴とする請求項４または５記載の折り畳み式携帯電話の開閉検出方法。
【発明の詳細な説明】
【０００１】
【発明の属する技術分野】
本発明は、本体部と開閉可能なカバー部材とで構成されている折り畳み式携帯電話に関し、特に、カバー部材の開閉を検出することができる折り畳み式携帯電話、及びその開閉検出方法に関する。
【０００２】
【従来の技術】
従来の、折り畳み式携帯電話としては、例えば、特開平７−１５４９３号公報に記載されたものが知られている。
【０００３】
図７に同公報に開示された折り畳み式携帯電話の構成を示す。図７に示されるように、この折り畳み式携帯電話は、本体部１０１とカバー部１０２はヒンジ機構１０３を中心に開閉できるように構成され、本体部１０１内には磁石１０４、カバー部１０２内にはリードスイッチ１０５が設けられている。そして、本体部１０１とカバー部１０２を図７のように閉状態（折り畳んだ状態）にすると、リードスイッチ１０５が磁石１０４に感応してオンし、本体部１０１とカバー部１０２の閉状態を検出する。
【０００４】
【発明が解決しようとする課題】
しかしながら、上述した従来の折り畳み式携帯電話においては、リードスイッチの周辺にも磁石があるため、リードスイッチが誤作動し、本体部を開いたときでも閉状態と誤検出する恐れがあった。
【０００５】
また、クレジットカードなどの磁気カードを接近させると、磁石の磁界が外部の磁気カードなどの磁気記録媒体に悪影響を及ぼし、データが喪失する可能性がある。
【０００６】
このような不具合を解決するために、本体部に突起、カード部にセンサを設け、この突起がセンサに接触することで折り畳み式携帯電話の閉状態を検出する方法が提案されている。
【０００７】
しかしながら、この方法では、構造的に突起部が露出するため外観上の美観を損ねるという欠点を有している。
【０００８】
本発明は上記事情に鑑みてなされたものであり、美観を損なうことなく、外部の磁気記録媒体に悪影響を及ぼさない折り畳み式携帯電話、及びその開閉検出方法を提供することを目的とする。
【０００９】
【課題を解決するための手段】
係る目的を達成するために請求項１記載の発明は、本体部と該本体部に対して開閉可能なカバー部とで構成され、制御手段の制御により無線回線を介した通信を行なう折り畳み式携帯電話であって、本体部の基準方向からの傾きを検出する第１の傾き検出手段と、カバー部の前記基準方向からの傾きを検出する第２の傾き検出手段と、を有し、制御手段は、前記第１及び第２の傾き検出手段によって検出された傾き値を比較して、折り畳み式携帯電話の開閉を判定することを特徴とする。
【００１０】
請求項２記載の発明は、本体部と該本体部に対して開閉可能なカバー部とで構成される折り畳み式携帯電話であって、本体部の基準方向からの傾きを検出する第１の傾き検出手段と、カバー部の前記基準方向からの傾きを検出する第２の傾き検出手段と、第１及び第２の傾き検出手段によって検出された傾き値を比較し、折り畳み式携帯電話の開閉を判定する判定手段と、を有することを特徴とする。
【００１１】
請求項３記載の発明は、請求項１または２記載の発明において、第１の傾き検出手段は、本体部を構成する筐体の法線方向から重力の働く方向への傾き値を検出する手段であり、第２の傾き検出手段は、カバー部を構成する筐体の法線方向から重力の働く方向への傾き値を検出する手段であることを特徴とする。
【００１２】
請求項４記載の発明は、本体部と該本体部に対して開閉可能なカバー部とで構成され、制御手段の制御により無線回線を介した通信を行なう折り畳み式携帯電話の開閉検出方法であって、第１の傾き検出手段が、本体部の基準方向からの傾きを検出する第１の傾き検出工程と、第２の傾き検出手段が、カバー部の前記基準方向からの傾きを検出する第２の傾き検出工程と、制御手段により、前記第１及び第２の傾き検出工程によって検出された傾き値を比較して、折り畳み式携帯電話の開閉を判定する判定工程と、を有することを特徴とする。
【００１３】
請求項５記載の発明は、本体部と該本体部に対して開閉可能なカバー部とで構成される折り畳み式携帯電話の開閉検出方法であって、第１の傾き検出手段が、本体部の基準方向からの傾きを検出する第１の傾き検出工程と、第２の傾き検出手段が、カバー部の前記基準方向からの傾きを検出する第２の傾き検出工程と、第１及び第２の傾き検出工程によって検出された傾き値を比較し、折り畳み式携帯電話の開閉を判定する判定工程と、判定工程による判定結果を割り込み信号として制御手段に通知する通知工程と、を有することを特徴とする。
【００１４】
請求項６記載の発明は、請求項４または５記載の発明において、第１の傾き検出工程は、第１の傾き検出手段が、本体部を構成する筐体の法線方向から重力の働く方向への傾き値を検出する工程であり、第２の傾き検出工程は、第２の傾き検出手段が、カバー部を構成する筐体の法線方向から重力の働く方向への傾き値を検出する工程であることを特徴とする。
【００１５】
【発明の実施の形態】
次に、添付図面を参照しながら本発明の折り畳み式携帯電話、及びその開閉検出方法に係る実施の形態を詳細に説明する。図１〜図６を参照すると本発明の折り畳み式携帯電話、及びその開閉検出方法に係る実施の形態が示されている。
【００１６】
まず、図１及び図２を参照しながら本実施形態の外観形状を説明する。図１及び図２に示されるように本実施形態の電話機本体は、薄い筐体で形成された本体部１と、これと略同じ薄い筐体で形成されたカバー部２とで構成され、両者をヒンジ機構３により連結し、かつこのヒンジ機構３によりカバー部２を本体部１に対して開閉させ、折り畳み状態と開いた状態とに設定できるように構成されている。
【００１７】
本体部１には、アンテナ４、受話器５、表示器６が配設され、カバー部２には、操作キー７、送話器８等が配設される。
【００１８】
次に、図３を参照しながら、本体部１とカバー部２の内部に構成される携帯電話の内部回路構成を説明する。図３に示されるように本実施形態は、受話器５、表示部６、操作部７、送話器８、無線部１０、制御部１１、第１傾き検出部１２、第２傾き検出部１３を備えている。
【００１９】
無線部１０は、アンテナ４を介して相手側との信号の送受信を行なう。受信した信号は、図示しないアンプで増幅して受話器５から音声として出力する。また、送話器８からの音声信号は、図示しないアンプにより増幅して無線部１０から送信する。無線部１０からの出力は、制御部１１に出力される。
【００２０】
通話状態では、必要な情報は制御部１１の制御により表示部６に表示される。操作部７による操作情報が制御部１１に入力されると、所定の発呼や着呼動作を行なって、相手側との通話状態に入る。
【００２１】
また、本実施形態は、第１傾き検出部１２、第２の傾き検出部１３を有している。第１傾き検出部１２は、本体部１に配設され、本体部１の基準方向からの傾きを検出する。第２の傾き検出部１３は、カバー部２に配設され、カバー部２の基準方向からの傾きを検出する。これら第１傾き検出部１２、第２傾き検出部１３により検出された傾きは、制御部１１に通知され、制御部１１でこれらの値が比較される。
【００２２】
図４及び図５のフローチャートを参照しながらこの第１傾き検出部１２、第２傾き検出部１３の動作、及びその手順についてより詳細に説明する。
第１傾き検出部１２は、傾きを検出するセンサにより構成され、図４に示された本体部１を構成する筐体の法線方向を基準として、この法線方向と重力が働く方向との角度を検出する（ステップＳ１）。また、第２傾き検出部１３も傾きを検出するセンサにより構成され、図４に示されるようにカバー部の筐体の法線方向を基準として、この法線方向と重力が働く方向との角度を検出する（ステップＳ２）。
【００２３】
これら第１傾き検出部１２、第２の傾き検出部１３により検出された値は、制御部１１に通知され、ここで両値が比較される（ステップＳ３）。第１傾き検出部１２により検出された本体部１の基準方向からの傾き値と、第２傾き検出部１３により検出されたカバー部２の基準方向からの傾き値とが同一である場合には、折り畳み式携帯電話が閉じられた状態にあることを検出することができる。また、本体部１の基準方向からの傾き値と、カバー部２の基準方向からの傾き値とが異なる場合には、折り畳み式携帯電話が開いた状態にあることを検出することができる。
【００２４】
次に、図６を参照しながら本発明に係る第２の実施形態について説明する。
本発明に係る第２の実施形態は、図６に示されるように判定部を１４を更に設けた構成を取る。上述した第１の実施形態では、第１傾き検出部１２によって検出された傾き値と、第２傾き検出部１３によって検出された傾き値とを制御部１１で比較していた。これに対し、本実施形態は、判定部１４で両検出部で検出された傾き値を比較する。そして、折り畳み式携帯電話の開閉を検出すると、制御部１１に割り込み信号を出力するか、または判定結果を通知する。これにより制御部１１は、判定部１４により通知される状態のみ監視すればよくなり、制御部１１の付加を軽減させることができる。
【００２５】
なお上述した実施形態は、本発明の好適な実施の形態である。但し、これに限定されるものではなく、本発明の要旨を逸脱しない範囲内において種々変形実施が可能である。
【００２６】
【発明の効果】
以上の説明より明らかなように本発明は、本体部の基準方向からの傾きと、カバー部の基準方向からの傾きとを検出し、検出したこれらの傾き値を比較することにより、折り畳み式携帯電話の開閉を判定することができる。
【００２７】
また、本体部の基準方向からの傾きと、カバー部の基準方向からの傾きとを比較して折り畳み式携帯電話の開閉を判定する判定手段を設けたことにより、制御手段は、判定手段により通知される状態のみ監視すればよくなり、制御手段の負荷を軽減させることができる。
【図面の簡単な説明】
【図１】本発明の一実施形態である折り畳み式携帯電話を示す正面図である。
【図２】本発明の一実施形態である折り畳み式携帯電話を示す側面図である。
【図３】本発明の一実施形態である折り畳み式携帯電話の回路構成を示す図である。
【図４】第１及び第２の傾き検出部の動作を説明するための図である。
【図５】動作手順を示すフローチャートである。
【図６】本発明の一実施形態である折り畳み式携帯電話の回路構成を表す図である。
【図７】従来の折り畳み式携帯電話の構成を表す図である。
【符号の説明】
１  本体部
２  カバー部
３  ヒンジ部
４  アンテナ
５  受話器
６  表示器
７  操作部
８  受話器
１０  無線部
１１  制御部
１２  第１傾き検出部
１３  第２傾き検出部
１４  判定部
【図１】
0004304886.tif 000002
【図２】
0004304886.tif 000003
【図３】
0004304886.tif 000004
【図４】
0004304886.tif 000005
【図５】
0004304886.tif 000006
【図６】
0004304886.tif 000007
【図７】
0004304886.tif 000008